(57)【要約】      （修正有）【課題】手指の乾燥と殺菌を同時に行え、手に着水した水滴が乾燥室から外部に飛散することのない手指乾燥機を提供する。【解決手段】手指乾燥機は、球体乾燥室２の吹き出し口ノズル５と吸い込み口６とを送風モーター８を介して管路７，１０で連結した吸引管内循環式として乾燥に使用した温風を再利用するもので、乾燥室２内の温風が、乾燥室２から吸気管７で除湿フィルター９を通して送風モーター８に吸引され、送風管１０に吐き出されて殺菌装置１１で除菌し、加熱ヒーター１２で除湿・加温して吹き出し口ノズル５から乾燥室２内に吹き出す構成が好ましい。【選択図】図１
2016158960.tif 000002
【特許請求の範囲】
【請求項１】
球体乾燥室の吹き出し口と吸い込み口とを送風モーターを介して管路で連結した吸引管内循環式として乾燥に使用した温風を再利用する手指乾燥機。
【請求項２】
乾燥室内の温風は、乾燥室から管路で除湿フィルターを通して送風モーターに吸引され、管路に吐き出されて殺菌装置で除菌し、加熱ヒーターで除湿・加温して吹き出しノズルから乾燥室内に吹き出す手指乾燥機。
【請求項３】
再利用温風の管内除菌にパルスパワーを利用したプラズマジェット殺菌技術を利用した手指乾燥機。
【請求項４】
球体乾燥室の大きさは乾燥室内部で手もみ出来る大きさとし、両手の挿入口も両袖が触れ合わない大きさの手指乾燥機。
【発明の詳細な説明】
【技術分野】
【０００１】
本発明は、プラズマジェットの殺菌技術を利用した手指乾燥機(ハンドドライヤー)に関するものである。
【背景技術】
【０００２】
手指乾燥機（ハンドドライヤー）は、ペーパタオルや布ロールタオルを使用する場合に比べて、ランニングコストが安く、環境負荷が少なく、今後は国内市場から海外市場へと普及が広がる情勢にあるが、製品開発は「どうやったら早く乾くか」が主流となり、高速風を吹きつけて付着水を手から吹き飛ばすため、周囲に水滴を飛散して周辺環境を悪化させる事態が発生しており、新たな対策が求められている。
【先行技術文献】
【特許文献】
【０００３】
【特許文献１】特願2010−229863  パルスパワー方式低温プラズマジェット発生装置
【発明の概要】
【発明が解決しようとする課題】
【０００４】
早く乾燥させるために、高速風を吹きつけて付着水を手から吹き飛ばすため、水滴の一部が四方に飛散し、強風に乗って手指や袖や顔や頭に付着することが確認されており、その飛散水滴から大腸菌群や糞便系大腸菌群、黄色ブドウ球菌群などが検出されており、水滴飛散を抑える方法が求められている。
【０００５】
手指の乾燥と同時に殺菌を行う方法として、殺菌灯（紫外線）やアルコール噴霧やオゾンを使ったものがあるが、一長一短があり、まだ除菌効果が確立するには至っていない。
【０００６】
また、高速風吹きつけ方式は、消費エネルギーが大きいばかりか、駆動時の騒音は風速の６乗程度に大きくなると云われており問題がある。
【課題を解決するための手段】
【０００７】
手指に高速風を吹きつけて付着水を吹き飛ばすのをやめて、乾燥にかかる時間は少し長くなるが、適度な送風速度の温風ジェット気流を吹き付けて乾燥する。
【０００８】
手指の乾燥は球体の乾燥室内で行うため、球体頂部の吹き出しノズルから吹き出された温風ジェット気流は、吸い込み口と吹き出し口とを送風モーターを介して管路で連結した吸引管内循環式であるため、球体底部の吸い込み口から強制的に吸い込まれる。
【０００９】
乾燥室の吸い込み口から吸い込まれた水滴を含む温風のうち、比較的重たい水滴はドレーンで捕集し、比較的軽い水分を含む温風は除湿フィルターにより除湿して再利用する。
【００１０】
循環する温風の除菌は、管路途中にプラズマジェットによる殺菌装置により、効率的に除菌を行って再利用する。
【００１１】
除菌された温風は加熱ヒーターで更に除湿・加温されて吹き出しノズルから清潔な温風ジェット気流として乾燥室内に吹き出される。
【００１２】
球体の乾燥室の大きさは内部で手揉みが出来る広さとし、手首の挿入口の大きさは両袖が触れない程度の大きさとする。
【発明の効果】
【００１３】
球体の乾燥室内で適度の送風速度の温風ジェット気流を吹き付けて乾燥するため、手に着水した水滴が吹き飛ばされて乾燥室から外部に飛散し、細菌や汚れが管路外に付着することがなく衛生的である。
【００１４】
乾燥室の温風を吸引管路内循環式の気流とすることで、手に着水した水滴が吹き飛ばされて乾燥室から外部に飛散したりせず、乾燥室内の温風の大部分は吸い込み口から吸い込まれて再利用されるため効率的である。
【００１５】
プラズマジェットによる殺菌装置はプラズマジェットを発生させるノズルを送風管内に挿入することができるため管内気流の殺菌に適しており、コンパクト化することで消費エネルギーも削減できる。
【００１６】
乾燥室が球形で外部と遮蔽されているため、駆動時の騒音や臭気が軽減でき、乾燥が完全吸引循環方式により再利用されるため効率的でランニングコストが削減される。
【図面の簡単な説明】
【００１７】
【図１】本発明にかかるプラズマジェットで除菌する手指乾燥機の外観側面図である。
【図２】本発明にかかるプラズマジェットで除菌する手指乾燥機の外観正面図である。
【図３】本発明にかかるプラズマジェットの発生状況である。
【図４】本発明にかかる殺菌に寄与する化学的活性種の発生量である。
【発明を実施するための形態】
【００１８】
本発明の実施形態について図面を参照して説明する。図１にプラズマジェットで除菌する手指乾燥機の実施形態を示す。図は本発明の手指乾燥機の側面を示す。図において手指乾燥機の構成は、手指乾燥を使用時の正面となる中央に球体の乾燥室２があり、その前面に両手を挿入する挿入口３がある。手指乾燥機外観は直方体の乾燥機本体１の正面中央に両手４を挿入する挿入口の球体の一部が露出した形になる。
【００１９】
乾燥室の頂部には清潔な温風ジェット気流ａを吹き出すための吹き出し口ノズル５があり、乾燥室の底部には手指乾燥後の温風bを吸い込むための吸い込み口６があり、これら吸い込み口と吹き出し口は乾燥室裏面のスペースで、必要機能装置が連結された循環管路で連結されている。
【００２０】
清潔な乾燥空気の還流について、手指乾燥後の水気を含んだ温風は、送風モーター８の吸引力により乾燥室の底部の吸い込み口から吸気管７に吸い込まれ、比較的重たい水滴ｃは排水管１３から排水タンク１４に捕集される。比較的軽い微粉塵など水分を含んだ温風は途中の除湿フィルター９を通して除湿され、送風モーターで吸引・吐出されて再び送風管１０へ吹き出され、管路途中においてプラズマジェット殺菌装置１１で除菌され、加熱ヒーター１２で更に除湿・加温された後、吹き出しノズルから清潔な温風ジェット気流として乾燥室内に吹き出される。
【００２１】
プラズマジェットによる殺菌装置はパルス幅が非常に短い高繰り返し大電力であるパルスパワー電源１６を使って、プラズマジェット発生用ノズル１５の中の線状の導体先端と冷却機能を持つ細い穴の開いたアース電極間で放電させ、セラミックス管内を通ってきた大気圧空気流を放電部に吹き付けて化学的活性度が高く殺菌力のある低温の大気圧空気プラズマジェットを生成する技術（特願2010−229863）を利用して、管内にプラズマジェット発生用ノズル１５を挿入することで温風の殺菌を行う。
【実施例】
【００２２】
プラズマジェットによる殺菌については、図３にパルスパワー方式による低温プラズマジェットのノズル先端からの発生状態を示し、図４に殺菌に寄与する化学的活性種の発生量であるＯＨラジカルとＯラジカルの発生量を示す。
【産業上の利用可能性】
【００２３】
医療施設や食品加工工場、無菌動物飼育施設など無菌のバイオ・クリーンルームに設置される出入り口のエアーシャワー設備において、入室者の衣服に付着した浮遊塵挨や細菌を除菌してジェット気流で吹き飛ばすための給気に、プラズマジェットで殺菌した清浄な空気を供給する給気ユニットとして利用できる。
【符号の説明】
【００２４】
１・・・・手指乾燥機本体
２・・・・乾燥室
３・・・・両手挿入口
４・・・・乾燥室挿入の両手
５・・・・吹き出し口ノズル
６・・・・吸い込み口
７・・・・吸気管
８・・・・送風モーター
９・・・・除湿フィルター
１０・・・・送風管
１１・・・・プラズマジェット殺菌装置
１２・・・・加熱ヒーター
１３・・・・排水管
１４・・・・排水タンク
１５・・・・プラズマジェット発生用ノズル
１６・・・・パルスパワー電源
a・・・・温風ジェット気流
b・・・・手指乾燥後の温風
c・・・・水滴
【図１】
2016158960.tif 000003
【図２】
2016158960.tif 000004
【図３】
2016158960.tif 000005
【図４】
2016158960.tif 000006